(57)【要約】【課題】高額でセキュリティレベルの高い通行錠と、低セキュリティの人が利用する鍵として機能するＲＦタグ（Ｒａｄｉｏ  Ｆｒｅｑｕｅｎｃｙタグ）とを一体管理する鍵管理装置。【解決手段】通行錠１３０がＲＦタグ１２３を内部に備えたキーホルダ１２０を介して連結され、鍵保管ユニット１４０にキーホルダ１２０が挿入され、鍵管理装置本体１１０が鍵保管ユニット１４０を複数備え、ＲＦＩＤアンテナ部１４４がＲＦタグ１２３から受信し、管理ＰＣ６０がＲＦタグ１２３から受信した情報をもとにキーホルダ１２０の貸出を管理する。【選択図】図１
2018017063.tif 000002
【特許請求の範囲】
【請求項１】
利用者が情報媒体を所持することで施解錠できる通行扉と利用者が所持する鍵で施解錠できる通行扉とを有する閉鎖施設で利用する情報媒体および鍵の管理装置において、
タイムカードの認証、端末ログイン認証、プリンタ認証、福利厚生の認証等の認証媒体として利用でき、非接触で読み書き可能な前記情報媒体としても利用可能なＲＦタグを内部に備え、かつ前記鍵が連結されるキーホルダと、
前記キーホルダが挿入される鍵保管ユニットと、
前記鍵保管ユニットを複数備える鍵管理装置本体と、
前記ＲＦタグから情報を受信するための受信機と、
前記ＲＦタグから受信した情報をもとに前記キーホルダの貸出を管理する貸出管理手段と、
を備えることを特徴とする鍵管理装置。
【請求項２】
前記ＲＦタグは、
前記受信機の受信範囲で応答でき、前記受信機からの電波をエネルギー源として動作するパッシブタグであることを特徴とする請求項１記載の鍵管理装置。
【請求項３】
貸出管理手段は、
認証手段を備え、前記認証手段で得た情報により前記鍵の貸出が制御されることを特徴とする請求項１記載の鍵管理装置。
【請求項４】
前記認証手段は、
人間の身体的特徴や行動的特徴の情報を用いて行われる生体認証装置であることを特徴とする請求項３記載の鍵管理装置。
【請求項５】
前記生体認証装置は、
手のひらや指先の静脈パターンにより本人確認が行われる静脈認証装置であることを特徴とする請求項４記載の鍵管理装置。
【請求項６】
前記鍵保管ユニットは、
前記キーホルダが挿入される差込口を備え、
前記キーホルダは、
前記差込口に差し込まれる前記キーホルダを上下逆に差し込むことを防止するための逆差し防止手段を備えることを特徴とする請求項１記載の鍵管理装置。
【請求項７】
前記逆差し防止手段は、
前記キーホルダの外周の一部に形成された凸部及び凹部と、前記凸部及び前記凹部に対応して前記差込口の内周の一部に形成された前記凸部及び前記凹部とから構成されることを特徴とする請求項６記載の鍵管理装置。
【請求項８】
前記貸出管理手段は、
許可された時間帯以外の利用を制御するカレンダー機能を備えたことを特徴とする請求項１記載の鍵管理装置。
【請求項９】
前記貸出管理手段は、
認証情報、貸出時間、返却時間などを記録するログ情報取得機能を備えたことを特徴とする請求項１記載の鍵管理装置。
【請求項１０】
利用者が情報媒体を所持することで施解錠できる通行扉と利用者が所持する鍵で施解錠できる通行扉とを有する閉鎖施設で利用する情報媒体および鍵の管理方法において、
タイムカードの認証、端末ログイン認証、プリンタ認証、福利厚生の認証等の認証媒体として利用でき、非接触で読み書き可能な前記情報媒体としても利用可能なＲＦタグを内部に備えたキーホルダが、鍵保管ユニットに挿入される工程と、
複数の前記鍵保管ユニットを備える鍵管理装置本体に備えられた受信機が、前記ＲＦタグから情報を受信する工程と、
貸出管理手段が、前記ＲＦタグから受信した情報をもとに前記キーホルダの貸出を管理する工程と、
を備えることを特徴とする鍵管理方法。
【請求項１１】
利用者が情報媒体を所持することで施解錠できる通行扉と利用者が所持する鍵で施解錠できる通行扉とを有する閉鎖施設で利用する情報媒体および鍵の管理装置を含む鍵管理システムにおいて、
タイムカードの認証、端末ログイン認証、プリンタ認証、福利厚生の認証等の認証媒体として利用でき、非接触で読み書き可能な前記情報媒体としても利用可能なＲＦタグを内部に備え、かつ前記鍵が連結されるキーホルダと、
前記キーホルダが挿入される鍵保管ユニットと、
前記鍵保管ユニット毎に備えられ、前記情報媒体から情報を受信するための受信機と、
前記鍵保管ユニット毎に備えられ、隣接する前記鍵保管ユニットに備えられた前記受信機から出力される電波を遮るための遮断部と、
前記鍵保管ユニットを複数備える鍵管理装置本体と、
前記情報媒体から受信した情報をもとに前記キーホルダの貸出を管理する貸出管理手段と、
を備える鍵管理装置と、
前記利用者が前記閉鎖施設から退出する際に、前記キーホルダが返却されない場合に前記利用者に警告を行う警告手段と、
を備えることを特徴とする鍵管理システム。
【請求項１２】
前記キーホルダは、
非接触で読み書き可能なＲＦタグであって、
前記受信機の受信範囲で応答でき、前記受信機からの電波をエネルギー源として動作するパッシブタグと、
前記キーホルダに内蔵される電源を利用して電波が発せられるアクティブタグと、
を備えることを特徴とする請求項１１記載の鍵管理装置。
【請求項１３】
前記警告手段が、
前記利用者が前記閉鎖施設から退出する際に、警告音によって前記利用者が警告されることを特徴とする請求項１１記載の鍵の鍵管理システム。
【請求項１４】
前記警告手段が、
前記通過扉の施解錠を制御するための制御装置を備え、
前記キーホルダが返却されないまま前記閉鎖施設から前記利用者が退出する際に、前記通過扉が解錠されないことを特徴とする請求項１１記載の鍵管理システム。+
【発明の詳細な説明】
【技術分野】
【０００１】
本発明は、鍵管理装置、鍵管理方法および鍵管理システムに関し、特に利用者が情報媒体を所持することで施解錠できる通行扉と利用者が所持する鍵で施解錠できる通行扉とを有する閉鎖施設で利用する情報媒体および鍵の鍵管理装置、鍵管理方法および鍵管理システムに関する。
【背景技術】
【０００２】
従来、刑務所など法務省の各矯正施設では、施設内の各部屋のセキュリティレベルに応じて様々な鍵が使われている。刑務官は通行扉用に通行錠と呼ばれるセキュリティレベルが高く複製が不可能な特殊な物理鍵が貸し出されている。通常、矯正施設内のすべての通行扉は施錠されており、この施錠された扉を解錠するのが通行錠である。通行錠は舎房を除く一定の範囲の扉を１つの鍵で解錠することができる。このため紛失すると舎房を除く一定の範囲の扉の鍵を変更する必要があり、通行錠の取り扱いは非常に厳しく管理されている。
【０００３】
通行錠を携帯する際、刑務官は制服のベルトに取り付けられた鍵紐に通行錠を取り付け、通行錠の紛失や受刑者に通行錠を強奪されないようにしている。また退勤時には必ず通行錠を返却する必要があり、鍵の紛失や持ち帰りを防ぐために鍵管理装置で管理されている（たとえば、特許文献１参照）。
【０００４】
鍵管理装置は、ユニークＩＤ（ＩＤｅｎｔｉｆｉｃａｔｉｏｎ）が割り振られたタグに通行錠が連結され、タグを管理装置に挿入しＩＤタグ端子が収納確認端子に接触することで鍵の貸出を管理している。
【０００５】
また施設内に出入りするのは刑務官だけではなく、一般業者も出入りすることがある。一般業者は、セキュリティレベルの低い施設内の一定の範囲で通行が許可されている。一般業者は施設内に入館する際にカードキーが貸し出され、通行する際は貸し出されたカードキーを利用して各通行扉に設置された電子錠を解錠して通行することができる。ただしこのセキュリティレベルの低い一定の範囲は、セキュリティレベルの高い通行錠を利用して通行することはできず、通行錠しか貸し出されていない刑務官は通行することはできない。
【０００６】
そこで刑務官がカードキーを利用した通行扉を通過できるためには、カードキーを刑務官にも貸し出すことが考えられる。しかし、カードキーは簡単にポケットに入れられるため、紛失や強奪、カードキーを返却せずに持ち帰ってしまうことが考えられるため、刑務官にはカードキー貸出の権限が与えられていなかった。そのため、刑務官がセキュリティレベルの低い通行扉を通過するためには、通過する刑務官を各通行扉に設置した生体認証装置などで個人を認証して通行扉を施解錠していた。
【先行技術文献】
【特許文献】
【０００７】
【特許文献１】特開平９ー２６８８１１号公報
【発明の概要】
【発明が解決しようとする課題】
【０００８】
一方、近年ではセキュリティの重要性が高まっており、端末のログイン認証、タイムカードなどの勤怠管理の認証、プリンタ認証、社員食堂などの福利厚生施設等で使用する認証など個人を認証する必要性も高まっている。
【０００９】
しかし、生体認証は非常に高額な装置であり、全ての通行扉に設置することや、セキュリティレベルの低い通行扉に高額な生体認証装置を設置することは、設備費用の大きな負担となっていた。まして端末のログイン認証などで使用する個人認証に生体認証を利用することはありえなかった。
【００１０】
実際このような個人認証はＩＣ（Ｉｎｔｅｇｒａｔｅｄ  ｃｉｒｃｕｉｔ）カードなどの認証媒体を用いて行われており、認証媒体の管理は個人に任されていることが多い。しかし、簡単に持ち帰ることができてしまうので、通勤途中での紛失や盗難などの危険性が問題視されていた。
【００１１】
また認証媒体管理装置などを用いて厳重に認証媒体を管理することも考えられるが、通行錠、カードキー、認証媒体と管理対象物が増えてしまい、管理が煩雑化してしまうことで業務効率が悪化してしまう問題もあった。
【００１２】
本発明はこのような点に鑑みてなされたものであり、高額でセキュリティレベルの高い通行錠と、低セキュリティの人が利用する鍵や認証媒体として機能するＲＦタグ（Ｒａｄｉｏ  Ｆｒｅｑｕｅｎｃｙタグ）とを一体管理できる鍵管理装置を提供することを目的とする。
【課題を解決するための手段】
【００１３】
本発明では上記問題を解決するために、利用者が情報媒体を所持することで施解錠できる通行扉と利用者が所持する鍵で施解錠できる通行扉とを有する閉鎖施設で利用する情報媒体および鍵の管理装置において、タイムカードの認証、端末ログイン認証、プリンタ認証、福利厚生の認証等の認証媒体として利用でき、非接触で読み書き可能な前記情報媒体としても利用可能なＲＦタグを内部に備え、かつ前記鍵が連結されるキーホルダと、
前記キーホルダが挿入される鍵保管ユニットと、前記鍵保管ユニットを複数備える鍵管理装置本体と、前記ＲＦタグから情報を受信するための受信機と、前記ＲＦタグから受信した情報をもとに前記キーホルダの貸出を管理する貸出管理手段とを備えることを特徴とする鍵管理装置が提供される。
【００１４】
これにより、鍵が連結されるキーホルダが、端末ログイン認証、タイムカードの認証、プリンタ認証、福利厚生の認証等の認証媒体として利用でき、非接触で読み書き可能な前記情報媒体としても利用可能なＲＦタグを内部に備え、鍵保管ユニットにキーホルダが挿入され、鍵管理装置本体が、鍵保管ユニットを複数備え、受信機が、ＲＦタグから情報を受信し、貸出管理手段が、ＲＦタグから受信した情報をもとにキーホルダの貸出を管理する。
【００１５】
また、本発明では、利用者が情報媒体を所持することで施解錠できる通行扉と利用者が所持する鍵で施解錠できる通行扉とを有する閉鎖施設で利用する情報媒体および鍵の管理方法において、端末ログイン認証、タイムカードの認証、プリンタ認証、福利厚生の認証等の認証媒体として利用でき、非接触で読み書き可能な前記情報媒体としても利用可能なＲＦタグを内部に備えたキーホルダが、鍵保管ユニットに挿入される工程と、複数の前記鍵保管ユニットを備える鍵管理装置本体に備えられた受信機が、前記ＲＦタグから情報を受信する工程と、貸出管理手段が前記ＲＦタグから受信した情報をもとに前記キーホルダの貸出を管理する工程とを備えることを特徴とする鍵管理方法が提供される。
【００１６】
これにより、端末ログイン認証、タイムカードの認証、プリンタ認証、福利厚生の認証等の認証媒体として利用でき、非接触で読み書き可能な前記情報媒体としても利用可能なＲＦタグを内部に備えたキーホルダが、鍵保管ユニットに挿入され、複数の前記鍵保管ユニットを備える鍵管理装置本体に備えられた受信機が、ＲＦタグから情報を受信し、貸出管理手段が、ＲＦタグから受信した情報をもとにキーホルダの貸出を管理する。
【００１７】
また、本発明では、利用者が情報媒体を所持することで施解錠できる通行扉と利用者が所持する鍵で施解錠できる通行扉とを有する閉鎖施設で利用する情報媒体および鍵の管理装置を含む鍵管理システムにおいて、端末ログイン認証、タイムカードの認証、プリンタ認証、福利厚生の認証等の認証媒体として利用でき、非接触で読み書き可能な前記情報媒体としても利用可能なＲＦタグを内部に備え、かつ前記鍵が連結されるキーホルダと、
前記キーホルダが挿入される鍵保管ユニットと、前記鍵保管ユニット毎に備えられ、前記情報媒体から情報を受信するための受信機と、前記鍵保管ユニット毎に備えられ、隣接する前記鍵保管ユニットに備えられた前記受信機から出力される電波を遮るための遮断部と、前記鍵保管ユニットを複数備える鍵管理装置本体と、前記情報媒体から受信した情報をもとに前記キーホルダの貸出を管理する貸出管理手段と、を備えることを特徴とする鍵管理装置と、前記利用者が前記閉鎖施設から退出する際に、前記キーホルダが返却されない場合に前記利用者に警告を行う警告手段とを備えることを特徴とする鍵管理システムが提供される。
【００１８】
これにより、鍵が連結されるキーホルダが、端末ログイン認証、タイムカードの認証、プリンタ認証、福利厚生の認証等の認証媒体として利用でき、非接触で読み書き可能な前記情報媒体としても利用可能なＲＦタグを内部に備え、鍵保管ユニットにキーホルダが挿入され、鍵管理装置本体が、鍵保管ユニットを複数備え、受信機が、ＲＦタグから情報を受信し、貸出管理手段が、ＲＦタグから受信した情報をもとにキーホルダの貸出を管理し、利用者が閉鎖施設から退出する際に、キーホルダが返却されない場合に利用者に警告を行う。
【発明の効果】
【００１９】
本発明の情報媒体および鍵の管理装置、鍵管理方法、および鍵管理システムによれば、鍵が連結されるキーホルダが、端末ログイン認証、タイムカードの認証、プリンタ認証、福利厚生の認証等の認証媒体として利用でき、非接触で読み書き可能な前記情報媒体としても利用可能なＲＦタグを内部に備え、鍵保管ユニットにキーホルダが挿入され、鍵管理装置本体が、鍵保管ユニットを複数備え、受信機が、ＲＦタグから情報を受信し、貸出管理手段が、ＲＦタグから受信した情報をもとにキーホルダの貸出を管理するので、高額でセキュリティレベルの高い通行錠と、低セキュリティの人が利用する鍵を一体管理でき、ＲＦタグを内部に備えるキーホルダで個人認証が行え、かつキーホルダの紛失や持帰りを未然に防ぐことができる。
【図面の簡単な説明】
【００２０】
【図１】本実施の形態に係る鍵管理装置の構成を示す斜視図である。
【図２】第１の実施の形態におけるキーホルダおよび通行錠の構成を示す斜視図である。
【図３】鍵保管ユニットの構成および鍵保管ユニットにキーホルダが挿入された様子を示す側面図である。
【図４】施設内に設置された鍵管理措置を利用した施設の構成例を示す図である。
【図５】第２の実施の形態におけるキーホルダおよび通行錠の構成を示す斜視図である。
【図６】施設内に設置された鍵管理措置および鍵管理システムの構成例を示す図である。
【発明を実施するための形態】
【００２１】
以下、本発明の実施の形態を図面を参照して詳細に説明する。
〔第１の実施の形態〕
図１は、本実施の形態に係る鍵管理装置の構成を示す斜視図である。
図１に示すように、鍵管理装置１００は、鍵管理装置本体１１０、キーホルダ１２０、通行錠１３０、鍵保管ユニット１４０、および貸出管理部１５０を備えている。
【００２２】
鍵管理装置本体１１０は、非常に取扱が厳しい通行錠１３０を保管する箱体であり、外部からの衝撃に耐えられる強固かつ重量を備えた筐体である。鍵管理装置本体１１０の前面には、複数の挿入部１１１が形成され、各挿入部１１１には鍵保管ユニット１４０が挿入され固定されている。
【００２３】
鍵保管ユニット１４０には差込口１４１が形成され、通行錠１３０を連結したキーホルダ１２０が差し込まれている。鍵保管ユニット１４０に差し込まれたキーホルダ１２０は、鍵保管ユニット１４０内部で確実にロックされる。また利用者に通行錠１３０の貸出権限の権限がある場合のみロックが解除され、キーホルダ１２０および通行錠１３０が利用できるようになる。
【００２４】
また鍵管理装置本体１１０の鍵保管ユニット１４０が挿入されている面には、貸出管理部１５０が備えられる。貸出管理部１５０は生体認証部１５１、テンキー操作部１５２およびブザー部１５３を備える。生体認証部１５１は、手のひらや指先の静脈パターンにより本人認証を行う静脈認証方式を採用したものであり、利用者が手のひらや指先を生体認証部１５１にかざすことで利用者が識別される。この生体認証部１５１で識別された利用者によって、許可された通行錠１３０が貸し出される。また通行錠１３０を返却する際に利用することもできる。
【００２５】
また貸出管理部１５０はカレンダー機能を備えることもでき、生体認証部１５１で識別された利用者を日付や時間帯によって通行錠１３０の貸出を制御することもできる。また、通行錠１３０の貸出や返却時間、認証情報を記録し、ログ情報を取得する機能を備えることもできる。
【００２６】
テンキー操作部１５２は、認証登録がされていないなど生体認証部１５１が利用できない場合など、テンキー操作部１５２を利用してあらかじめ決められた番号を入力することで通行錠１３０が貸し出される。
【００２７】
またブザー部１５３は、利用者に警告を行うものであり、生体認証部１５１で認証されない場合、テンキー操作部１５２での入力操作の誤り、鍵保管ユニット１４０へのキーホルダ１２０の挿入位置間違いなどが生じた際などに、利用者に音で警告を行うことができる。
【００２８】
また各鍵保管ユニット１４０が挿入された挿入部１１１の上部にはランプ１１２が備えられている。貸出管理部１５０で認証が行われ、利用者に通行錠１３０の貸出が許可が与えられると、貸出許可された通行錠１３０が保管された鍵保管ユニット１４０の上部に備えられたランプ１１２のみが点灯する。これにより、利用者は目的の通行錠１３０がどこに保管されているか素早く把握することができる。
【００２９】
通行錠１３０を返却する際も、返却するべき鍵保管ユニット１４０の位置をランプ１１２が点灯することで利用者に返却位置を示すことができる。これにより、利用者が借りるべき通行錠１３０の位置、および返却するべき通行錠１３０の位置を素早く把握することができ、通行錠１３０の貸借をスムーズに行うことができる。
【００３０】
図２は、第１の実施の形態におけるキーホルダおよび通行錠の構成を示す斜視図である。
図２に示すように、キーホルダ１２０は差込部１２１、キー取付部１２２、ＲＦタグ１２３、蓋１２４、溝部１２５、ロック穴１２６、および持ち手部１２７が備えられる。
【００３１】
差込部１２１は、例えば、ＡＢＳ樹脂（アクリロニトリル、ブタジエン、スチレン共重合合成樹脂）などの樹脂材料などの板部材から形成されている。また差込部１２１の一方の端部には持ち手部１２７が設けられ、差込部１２１よりも大きく形成されている。持ち手部１２７には、強度の高い金属で環状に形成されたキー取付部１２２がキー取付部１２２の一部を残して差込部１２１に埋め込まれている。キー取付部１２２の差込部１２１から突出した部分には、直接または図示しないキーリング等を介して通行錠１３０が連結される。
【００３２】
差込部１２１の中央内部にはＲＦタグ１２３（Ｒａｄｉｏ  Ｆｒｅｑｕｅｎｃｙタグ）が埋め込まれ、蓋１２４がエポキシ樹脂などの接着剤で確実に固定されている。ＲＦタグ１２３は、電磁波を用いてＲＦタグ１２３に内蔵されたメモリのデータを非接触で読み書きする情報媒体であり、ＲＦＩＤ技術（Ｒａｄｉｏ  Ｆｒｅｑｕｅｎｃｙ  ＩＤｅｎｔｉｆｉｃａｔｉｏｎ技術）に用いられるものであって、ユニークＩＤなどが記録されている。
【００３３】
また、ＲＦタグ１２３は、後述するＲＦＩＤアンテナ部１４４が発する電波をエネルギー源として動作するパッシブタグであり、通信可能距離は数ｃｍ程度に制限されている。
【００３４】
尚、このＲＦタグ１２３と近接読み取りリーダを備えた端末を利用することで、端末ログイン認証を容易に行うことができる。他にも、入退出管理、勤怠管理、インターロック、プリンタ認証、福利厚生施設の個人認証なども利用することができる。
【００３５】
溝部１２５は差込部１２１の長手方向上部に直線状に設けられる。この溝部１２５はキーホルダ１２０を挿入する鍵保管ユニット１４０に設けられた差込口１４１の挿入方向上部に設けられた凸部に沿って挿入することがきる。これによりキーホルダ１２０を差込口１４１に差し込む際に上下逆に差し込むことを防止することができる。このように溝部１２５を設けることで、キーホルダ１２０を鍵保管ユニット１４０に逆に差し込んだ際に生じるキーホルダ１２０や鍵保管ユニット１４０の破損を防ぐことができる。また、鍵保管ユニット１４０にキーホルダ１２０が一方向からしか挿入されないので、鍵保管ユニット１４０の内部構造を単純化させることができる。
【００３６】
差込部１２１のキー取付部１２２と反対側には、差込部１２１の上面から下面に連通するロック穴１２６が設けられる。ロック穴１２６は、鍵保管ユニット１４０に備えられる固定機構がロック穴１２６に挿入されることにより確実にキーホルダ１２０が鍵保管ユニット１４０に固定される。
【００３７】
図３は、鍵保管ユニットの構成および鍵保管ユニットにキーホルダが挿入された様子を示す側面図である。
図３に示すように、鍵保管ユニット１４０は差込口１４１、凸部１４２、ロック棒１４３、ＲＦＩＤアンテナ部１４４、および遮断部１４５を備える。
【００３８】
鍵保管ユニット１４０は、鍵管理装置本体１１０に挿入され固定される箱型形状をしており、前面にはキーホルダ１２０が差し込まれる差込口１４１が形成される。差込口１４１の内側上部には凸部１４２が形成され、キーホルダ１２０の差込部１２１に形成された溝部１２５が凸部１４２に沿ってキーホルダ１２０が鍵保管ユニット１４０に挿入される。
【００３９】
差込口１４１の差込方向奥には、キーホルダ１２０を完全に挿入した際におけるロック穴１２６に、ロック穴１２６の上方から下方に向けて挿入可能な強固な金属で形成された棒状のロック棒１４３が備えられている。キーホルダ１２０が鍵保管ユニット１４０に挿入された後に、このロック棒１４３がロック穴１２６に挿入されることにより、権限のない利用者が、キーホルダ１２０を鍵保管ユニット１４０から抜き取ることを防止することができる。また権限のある利用者が認証されることにより、ロック棒１４３がロック穴１２６より引き抜かれ、キーホルダ１２０を鍵保管ユニット１４０から引き抜くことでキーホルダ１２０を利用することができる。
【００４０】
鍵保管ユニット１４０の側面、かつキーホルダ１２０を完全に挿入した際におけるキーホルダ埋め込まれた１２０にＲＦタグ１２３の位置には、ＲＦＩＤアンテナ部１４４が備えられる。鍵保管ユニット１４０にキーホルダ１２０が挿入されることにより、ＲＦＩＤアンテナ部１４４は、キーホルダ１２０内部に埋め込まれたＲＦタグ１２３の情報を読み書きすることができる。この情報を貸出管理部１５０が制御および管理し、パソコンなどを利用して鍵の貸し出し状況などを把握することができる。
【００４１】
尚、ＲＦタグ１２３およびＲＦＩＤアンテナ部１４４を利用したＲＦＩＤ技術は、非接触でＲＦタグ１２３に記録された情報を読み書きできるので、接触不良により情報が読み取れないなどの問題が発生しない。また、非接触で読み書きできるので、利用者が汗などの水分や静電気などによる記録データの損失を防止することができる。
【００４２】
鍵保管ユニット１４０の側面かつＲＦＩＤアンテナ部１４４が設置される反対側には、遮断部１４５が備えられている。遮断部１４５は、ＲＦＩＤアンテナ部１４４が発する電波を遮断するための金属性の板で形成されている。鍵管理装置本体１１０には、鍵保管ユニット１４０が隣接して設置されており、鍵保管ユニット１４０に備えられるＲＦＩＤアンテナ部１４４が、隣接するＲＦＩＤアンテナ部１４４と干渉しないように、ＲＦＩＤアンテナ部１４４が発する電波を遮断部１４５が遮断している。
【００４３】
尚、ＲＦＩＤアンテナ部１４４は、鍵保管ユニット１４０に設置された遮断部１４５を超えて隣接された鍵保管ユニット１４０に挿入されるキーホルダ１２０内部のＲＦタグ１２３を感知しない周波数で出力することが望ましい。このように短距離対応のＲＦタグ１２３と、遮断部１４５により通信距離を制限されたＲＦＩＤアンテナ部１４４を用いることで、鍵保管ユニット１４０の内部でのみＲＦタグ１２３とＲＦＩＤアンテナ部１４４が通信できる。
【００４４】
図４は、施設内に設置された鍵管理措置を利用した施設の構成例を示す図である。
図４に示すように、施設は部屋Ａ、部屋Ｂ、および部屋Ｃで構成されている。各部屋の間は壁で仕切られており、各壁には通行扉１０Ｂ、および通行扉１０Ｃが設けられている。また各扉には電気的に施解錠を行える電気錠２０Ｂ、および電気錠２０Ｃで各通行扉の施解錠が行われている。また、通行扉１０Ｂを挟んで両側の壁付近には、例えばＵＨＦ（Ｕｌｔｒａ  Ｈｉｇｈ  Ｆｒｅｑｕｅｎｃｙ）電波などを用いた電波方式でＲＦタグ１２３の情報を読み書きすることができるアンテナ３１〜アンテナ３３が設置されており、そのアンテナ３１〜アンテナ３３にキーホルダ１２０の内部に埋め込まれたＲＦタグ１２３を接触または近接させることでＲＦタグ１２３の情報を読み書きすることができる。また各電気錠および各アンテナは部屋Ｂ内に設置されたゲートコントローラ４０に接続され、ゲートコントローラ４０が各電気錠の施解錠を制御している。このゲートコントローラ４０は施設内に配設されるネットワーク５０に接続されている。
【００４５】
また電気錠２０Ｃは通行錠１３０を使用することでのみ解錠される通行扉であり、通行扉１０Ｃを挟んで両側の壁付近にはアンテナは設置されていない。
【００４６】
部屋Ａ内には鍵管理装置１００が設置されており、ネットワーク５０に接続されている。また部屋Ｂ内にはネットワーク５０に接続された管理ＰＣ６０が設置されており、同じくネットワーク５０に接続されたゲートコントローラ４０、および鍵管理装置１００の情報を管理ＰＣ６０が管理している。
【００４７】
次に、刑務官が鍵管理装置１００を利用して施設内を通過する手順を説明する。
まず刑務官は、部屋Ａ内に設置された鍵管理装置１００より生体認証部１５１で認証を受け、鍵保管ユニット１４０より権限を与えられた通行錠１３０の連結したキーホルダ１２０が貸し出される。
【００４８】
尚、刑務官が鍵管理装置１００を利用してキーホルダ１２０が貸し出されると同時に、イントラネット５０に接続された管理ＰＣ６０で勤怠管理を行うこともできる。これにより、キーホルダ１２０の貸し出しと、勤怠管理を同時に行うことができ、始業時間等の混雑を緩和することができる。
【００４９】
キーホルダ１２０を所持した刑務官は、刑務官が所持するキーホルダ１２０に埋め込まれたＲＦタグ１２３をアンテナ３２に接触または近接させることで、アンテナ３２がＲＦタグ１２３の情報を読み取り、ゲートコントローラ４０が電気錠２０Ｂを解錠させる。これにより刑務官は通行扉１０Ｂを通過することができる。
【００５０】
この時、刑務官が鍵管理装置１００で認証されない場合は、キーホルダ１２０が刑務官に貸し出されない。つまりアンテナ３２がキーホルダ１２０に埋め込まれたＲＦタグ１２３の情報を読み取ることができないので電気錠２０Ｂは解錠されない。従って刑務官は、通行扉１０Ｂを通過することができない。
【００５１】
次に刑務官が部屋Ｂから部屋Ｃに行くためには、通行錠１３０を使用して通行扉１０Ｃを通過しなくてはならない。ここでは刑務官は通行錠１３０が連結されたキーホルダ１２０を貸し出されているので、刑務官は通行錠１３０を使用して電気錠２０Ｃを解錠し、通行扉１０Ｃを通過することができる。
【００５２】
次に、一般業者が鍵管理装置１００を利用して施設内を通過する手順を説明する。
まず一般業者は、部屋Ａ内に設置された鍵管理装置１００より生体認証部１５１で認証を受け、権限を与えられた鍵保管ユニット１４０より通行錠１３０の連結していないキーホルダ１２０が貸し出される。
【００５３】
キーホルダ１２０を所持した一般業者は、一般業者が所持するキーホルダ１２０に埋め込まれたＲＦタグ１２３をアンテナ３２に接触または近接させることで、アンテナ３２がＲＦタグ１２３の情報を読み取り、ゲートコントローラ４０が電気錠２０Ｂを解錠させる。これにより一般業者は通行扉１０Ｂを通過することができる。
【００５４】
この時、一般業者が鍵管理装置１００で認証されない場合は、キーホルダ１２０が一般業者に貸し出されない。つまりアンテナ３２がキーホルダ１２０に埋め込まれたＲＦタグ１２３の情報を読み取ることができないので電気錠２０Ｂは解錠されない。従って一般業者は、通行扉１０Ｂを通過することができない。
【００５５】
次に一般業者が部屋Ｂから部屋Ｃに行くためには、通行錠１３０を使用して通行扉１０Ｃを通過しなくてはならない。しかし、ここでは一般業者が所持するキーホルダ１２０には通行錠１３０が連結されていないので、一般業者は通行錠１３０を使用して電気錠２０Ｃを解錠することができず、通行扉１０Ｃを通過することができない。
【００５６】
次に、施設内で業務を終えた刑務官が施設内を通過し、貸し出されたキーホルダ１２０を鍵管理装置１００に返却するまでの手順を説明する。
刑務官は部屋Ｃから部屋Ｂに進入するために通行錠１３０を利用して通行扉１０Ｃを通過する。次に、刑務官が所持するキーホルダ１２０に埋め込まれたＲＦタグ１２３をアンテナ３３に接触または近接させることで、アンテナ３３がＲＦタグ１２３の情報を読み取り、ゲートコントローラ４０が電気錠２０Ｂを解錠させる。これにより刑務官は通行扉１０Ｂを通過することができる。その後刑務官は、部屋Ａ内に設置された鍵管理装置１００に貸し出されたキーホルダ１２０を返却する。
【００５７】
次に、施設内で業務を終えた一般業者が施設内を通過し、貸し出されたキーホルダ１２０を鍵管理装置１００に返却するまでの手順を説明する。
一般業者は、通行錠１３０を所持していないので部屋Ｂより先には進入しておらず、部屋Ｂ内で業務を終え、一般業者が所持するキーホルダ１２０に埋め込まれたＲＦタグ１２３をアンテナ３３に接触または近接させることで、アンテナ３３がＲＦタグ１２３の情報を読み取り、ゲートコントローラ４０が電気錠２０Ｂを解錠させる。これにより一般業者は通行扉１０Ｂを通過することができる。その後一般業者は、部屋Ａ内に設置された鍵管理装置１００に貸し出されたキーホルダ１２０を返却する。
【００５８】
以上のように、鍵管理装置１００および鍵管理装置１００を鍵管理システムを利用することで、高額でセキュリティレベルの高い通行錠と、低セキュリティの人が利用する鍵として機能するＲＦタグ１２３とを一体管理することができる。
【００５９】
また、交信距離の短い電磁波を利用したカードリーダーを各部屋に配置し、刑務官が巡回する際にＲＦタグ１２３が埋め込まれたキーホルダ１２０をカードリーダーに確実に接触または近接させて管理することで、巡回漏れを防止することができる。
【００６０】
また巡回時における各通行扉の通過時間をログ管理をＰＣ６０等で管理することもできる。更に、通過時間に制限を設定することや、監視を行うことでキーホルダ１２０を所持した利用者が途中で倒れているなど、異常を判断することができる。
【００６１】
また、施設内の各分岐地点にカードリーダーを設置することで、経路案内をすることもできる。
【００６２】
〔第２の実施の形態〕
次に、本発明の第２の実施の形態について説明する。本実施の形態の鍵管理措置を利用した鍵管理システムは、キーホルダ１２０内部に埋め込まれるＲＦＩＤの仕様が異なる以外は、第１の実施の形態と同様である。このため、上記第１の実施の形態とほぼ同様の構成部分については同一の符号を付すなどして適宜その説明を省略する。
【００６３】
図５は、第１の実施の形態におけるキーホルダおよび通行錠の構成を示す斜視図である。
図２に示すように、キーホルダ１２０は差込部１２１、キー取付部１２２、ＲＦタグ１２３、ＲＦタグ１２８、蓋１２４、溝部１２５、ロック穴１２６、および持ち手部１２７が備えられる。
【００６４】
差込部１２１の中央内部にはＲＦタグ１２３およびＲＦタグ１２８が埋め込まれ、蓋１２４がエポキシ樹脂などの接着剤で確実に固定されている。
【００６５】
ＲＦタグ１２３は、ＲＦＩＤアンテナ部１４４が発する電波をエネルギー源として動作するパッシブタグであり、通信可能距離は数ｃｍ程度に制限されている。また、ＲＦタグ１２８は、図示しない電池を内蔵し、通信時に自らの電力で電波を発するアクティブタグであり、通信可能距離は１〜１００ｍ程度である。
【００６６】
また鍵保管ユニット１４０が備えるＲＦＩＤアンテナ部１４４は、ＲＦタグ１２３のみを受信する周波数で電波が発信され、ＲＦタグ１２８が発する電波を受信することはない。
【００６７】
このように、通信可能距離が短いＲＦタグ１２３と、通信可能距離が長いＲＦタグ１２８とを併設することで両者の特性を活かしたシステムを提供することができる。
【００６８】
図６は、施設内に設置された鍵管理措置および鍵管理システムの構成例を示す図である。
図６に示すように、施設は部屋Ａ、部屋Ｂ、および部屋Ｃで構成されている。外部と部屋Ａとの間、および各部屋の間は壁で仕切られており、各壁には通行扉１０Ａ、通行扉１０Ｂ、および通行扉１０Ｃが設けられている。また各扉には電気的に施解錠を行える電気錠２０Ａ、電気錠２０Ｂ、および電気錠２０Ｃで各通行扉の施解錠が行われている。また、通行扉１０Ａおよび通行扉１０Ｂを挟んで両側の壁付近には、例えばＵＨＦ電波などを用いた電波方式でＲＦタグ１２８の情報を読み書きすることができるアンテナ３１〜アンテナ３３が設置されており、それぞれのアンテナから数メートルの範囲内にあるキーホルダ１２０の内部に埋め込まれたＲＦタグ１２８の情報を読み書きすることができる。但しここでは、各アンテナは壁を介して隣接された部屋の情報は読み取らないものとする。また各電気錠および各アンテナは部屋Ｂ内に設置されたゲートコントローラ４０に接続され、ゲートコントローラ４０が各電気錠の施解錠を制御している。このゲートコントローラ４０は施設内に配設されるネットワーク５０に接続されている。
【００６９】
また電気錠２０Ｃは通行錠１３０を使用することでのみ解錠される通行扉であり、通行扉１０Ｃを挟んで両側の壁付近にはアンテナは設置されていない。
【００７０】
部屋Ａ内には鍵管理装置１００が設置されており、ネットワーク５０に接続されている。また部屋Ｂ内にはネットワーク５０に接続された管理ＰＣ６０が設置されており、同じくネットワーク５０に接続されたゲートコントローラ４０、および鍵管理装置１００の情報を管理ＰＣ６０が管理している。
【００７１】
次に、刑務官が鍵管理装置１００を利用して施設内に進入する手順を説明する。
まず刑務官は外部より通行扉１０Ａを通過して部屋Ａに進入する。この時、刑務官は通行錠１３０およびカードキーを所持しておらず、通行扉１０Ａは施錠されていないか、テンキーなどのキー入力、生体認証などで通行扉１０Ａを通過することができる。
【００７２】
次に刑務官は、部屋Ａ内に設置された鍵管理装置１００より生体認証部１５１で認証を受け、鍵保管ユニット１４０より権限を与えられた通行錠１３０の連結したキーホルダ１２０が貸し出される。またキーホルダ１２０の貸出管理はキーホルダ１２０内に埋め込まれたＲＦタグ１２３によって個別に管理される。
【００７３】
キーホルダ１２０を所持した刑務官は、刑務官が所持するキーホルダ１２０に埋め込まれたＲＦタグ１２８が自ら発する電波情報をアンテナ３２が読み取るか、またはキーホルダ１２０に埋め込まれたＲＦタグ１２３をアンテナ３２に接触または近接させることで、アンテナ３２がＲＦタグ１２３の情報を読み取り、ゲートコントローラ４０が電気錠２０Ｂを解錠させる。これにより刑務官は通行扉１０Ｂを通過することができる。
【００７４】
この時、刑務官が鍵管理装置１００で認証されない場合は、キーホルダ１２０が刑務官に貸し出されない。つまりアンテナ３２がキーホルダ１２０に埋め込まれたＲＦタグ１２３の情報またはＲＦタグ１２８が自ら発する電波情報を読み取ることができないので電気錠２０Ｂは解錠されない。従って刑務官は、通行扉１０Ｂを通過することができない。
【００７５】
次に刑務官が部屋Ｂから部屋Ｃに行くためには、通行錠１３０を使用して通行扉１０Ｃを通過しなくてはならない。ここでは刑務官は通行錠１３０が連結されたキーホルダ１２０を貸し出されているので、刑務官は通行錠１３０を使用して電気錠２０Ｃを解錠し、通行扉１０Ｃを通過することができる。
【００７６】
次に、一般業者が鍵管理装置１００を利用して施設内に進入する手順を説明する。
まず一般業者は外部より通行扉１０Ａを通過して部屋Ａに進入する。この時、一般業者は、通行錠１３０およびカードキーを所持しておらず、通行扉１０Ａは施錠されていないか、テンキーなどのキー入力で通行扉１０Ａを通過することができる。
【００７７】
次に一般業者は、部屋Ａ内に設置された鍵管理装置１００より生体認証部１５１で認証を受け、権限を与えられた鍵保管ユニット１４０より通行錠１３０の連結していないキーホルダ１２０が貸し出される。
【００７８】
キーホルダ１２０を所持した一般業者は、一般業者が所持するキーホルダ１２０に埋め込まれたＲＦタグ１２８が自ら発する電波情報をアンテナ３２が読み取るか、またはキーホルダ１２０に埋め込まれたＲＦタグ１２３をアンテナ３２に接触または近接させることで、アンテナ３２がＲＦタグ１２３の情報を読み取り、ゲートコントローラ４０が電気錠２０Ｂを解錠させる。これにより一般業者は通行扉１０Ｂを通過することができる。
【００７９】
この時、一般業者が鍵管理装置１００で認証されない場合は、キーホルダ１２０が一般業者に貸し出されない。つまりアンテナ３２がキーホルダ１２０に埋め込まれたＲＦタグ１２３の情報を読み取れないので電気錠２０Ｂは解錠されない。従って一般業者は、通行扉１０Ｂを通過することができない。
【００８０】
次に一般業者が部屋Ｂから部屋Ｃに行くためには、通行錠１３０を使用して通行扉１０Ｃを通過しなくてはならない。しかし、ここでは一般業者が所持するキーホルダ１２０には通行錠１３０が連結されていないので、一般業者は通行錠１３０を使用して電気錠２０Ｃを解錠することができず、通行扉１０Ｃを通過することができない。
【００８１】
次に、施設内で業務を終えた刑務官が施設から退館するまでの手順を説明する。
刑務官は部屋Ｃから部屋Ｂに進入するために通行錠１３０を利用して通行扉１０Ｃを通過する。次に、刑務官が所持するキーホルダ１２０に埋め込まれたＲＦタグ１２８が自ら発する電波情報をアンテナ３３が読み取るか、またはキーホルダ１２０に埋め込まれたＲＦタグ１２３をアンテナ３３に接触または近接させることで、アンテナ３３がＲＦタグ１２３の情報を読み取り、ゲートコントローラ４０が電気錠２０Ｂを解錠させる。これにより刑務官は通行扉１０Ｂを通過することができる。
【００８２】
刑務官は、部屋Ａ内に設置された鍵管理装置１００に貸し出されたキーホルダ１２０を返却し通行扉１０Ａを通過して退館する。この時、アンテナ３１は、刑務官が所持するキーホルダ１２０に埋め込まれたＲＦタグ１２８の有無を確認し、刑務官がキーホルダ１２０を所持したまま退館しようとした場合は、鍵管理装置１００に備えられたブザー部１５３から警告音を発し、キーホルダ１２０の返却を促す。または、ゲートコントローラ４０が電気錠２０Ａを施錠させ、刑務官を退館させないようにする。これにより刑務官がキーホルダ１２０および通行錠１３０の返却せずに退館してしまうことを防止することができる。
【００８３】
次に、施設内で業務を終えた一般業者が施設から退館するまでの手順を説明する。
一般業者は、通行錠１３０を所持していないので部屋Ｂより先には進入しておらず、部屋Ｂ内で業務を終え、一般業者が所持するキーホルダ１２０に埋め込まれたＲＦタグ１２８が自ら発する電波情報をアンテナ３３が読み取るか、またはキーホルダ１２０に埋め込まれたＲＦタグ１２３をアンテナ３３に接触または近接させることで、アンテナ３３がＲＦタグ１２３の情報を読み取り、ゲートコントローラ４０が電気錠２０Ｂを解錠させる。これにより一般業者は通行扉１０Ｂを通過することができる。
【００８４】
一般業者は、部屋Ａ内に設置された鍵管理装置１００に貸し出されたキーホルダ１２０を返却し通行扉１０Ａを通過して退館する。この時、アンテナ３１は、一般業者が所持するキーホルダ１２０に埋め込まれたＲＦタグ１２８の有無を確認し、一般業者がキーホルダ１２０を所持したまま退館しようとした場合は、鍵管理装置１００に備えられたブザー部１５３から警告音を発し、キーホルダ１２０の返却を促す。または、ゲートコントローラ４０が電気錠２０Ａを施錠させ、一般業者を退館させないようにする。これにより一般業者がキーホルダ１２０および通行錠１３０のせずに退館してしまうことを防止することができる。
【符号の説明】
【００８５】
Ａ、Ｂ、Ｃ  部屋
１０Ａ、１０Ｂ、１０Ｃ  通行扉
２０Ａ、２０Ｂ、２０Ｃ  電気錠
３１、３２、３３  アンテナ
４０  ゲートコントローラ
５０  ネットワーク
６０  管理ＰＣ
１００  鍵管理装置
１１０  鍵管理装置本体
１１１  挿入部
１１２  ランプ
１２０  キーホルダ
１２１  差込部
１２２  キー取付部
１２３、１２８  ＲＦタグ
１２４  蓋
１２５  溝部
１２６  ロック穴
１２７  持ち手部
１３０  通行錠
１４０  鍵保管ユニット
１４１  差込口
１４２  凸部
１４３  ロック棒
１４４  アンテナ部
１４５  遮断部
１５０  貸出管理部
１５１  生体認証部
１５２  テンキー操作部
１５３  ブザー部
【図１】
2018017063.tif 000003
【図２】
2018017063.tif 000004
【図３】
2018017063.tif 000005
【図４】
2018017063.tif 000006
【図５】
2018017063.tif 000007
【図６】
2018017063.tif 000008